(57)【要約】【課題】雨戸のバタツキや転びを防止できるとともに開閉力を低減できる雨戸装置を提供する。【解決手段】上枠３ａに上スライドレール４を介して雨戸５がスライド開閉自在に支持されており、さらに、この雨戸５は、下枠３ｂにも下スライドレール３０を介してスライド開閉自在に支持されており、雨戸５が上下のスライドレール４，３０によって、全開時に両縦枠３ｃ，３ｃより外側に突出した状態に保持される。したがって、雨戸５のバタツキや転びを防止できるとともに開閉力を低減できる。【選択図】図３
2007120150.tif 000002
【特許請求の範囲】
【請求項１】
建物の開口部に設けられた窓の室外側に配置される上枠、下枠及び左右の縦枠からなる枠と、前記上枠に上スライドレールを介してスライド開閉自在に設けられる雨戸とを備えた雨戸装置であって、
前記雨戸は、前記下枠にも下スライドレールを介してスライド開閉自在に支持されており、
前記雨戸が前記上下のスライドレールによって、全開時に両縦枠より外側に突出した状態に保持されることを特徴とする雨戸装置。
【請求項２】
建物の開口部に設けられた窓の室外側に配置される上枠、下枠及び左右の縦枠からなる枠と、上枠と下枠間に引違いで左右両開きに開閉可能に設けられる４枚建ての内外の雨戸とを備え、上枠には内雨戸の上部をスライド可能に支持する内雨戸用の上スライドレールが設けられ、内雨戸の上部又は上枠には外雨戸の上部をスライド可能に支持する外雨戸用の上スライドレールが設けられた雨戸装置であって、
前記内雨戸は、前記下枠にも内雨戸用の下スライドレールを介してスライド開閉自在に支持されており、
前記外雨戸は、前記下枠または前記内雨戸の下部にも外雨戸用の下スライドレールを介してスライド開閉自在に支持されており、
前記内雨戸用の上下スライドレール及び外雨戸用の上下スライドレールを介して内雨戸と外雨戸が全開時に重なった状態で両縦枠より外側に突出した状態に保持されることを特徴とする雨戸装置。
【請求項３】
下スライドレールが、前記下枠または内雨戸の下部に取り付られた下固定レールと、該下固定レールに下中間レールを介してスライド自在に支持され、かつ外雨戸の下部に取り付けられた下可動レールとを有し、
前記下中間レールが、下中間レール本体と、この下中間レール本体の一方の側面に取り付けられて、前記下固定レールを転動可能な複数の第１戸車と、前記下中間レール本体の他方の側面に取り付けられて、前記下可動レールを相対的に転動可能な複数の第２戸車とを備えていることを特徴とする請求項１または請求項２に記載の雨戸装置。
【発明の詳細な説明】
【技術分野】
【０００１】
本発明は、雨戸が両開きにスライドする雨戸装置に関する。
【背景技術】
【０００２】
従来、この種の雨戸装置の一例として、特許文献１に記載に記載のものが知られている。この雨戸装置は、建物の開口部に設けられた窓の室外側に配置される上枠、下枠及び左右の縦枠からなる枠と、少なくとも前記上枠にスライドレールを介して両開きにスライド開閉自在に設けられる雨戸とを備え、前記スライドレールは、少なくとも上枠に設けられた固定レールと、該固定レールに直接または間接的にスライド自在に支持された左右の可動レールとを有し、該可動レールが雨戸の背面部に設けられ、前記雨戸が全開時に両縦枠より外側に突出した状態に保持されるように構成されているものである。
このような雨戸装置では、全閉時及び全開時にレールが露出することがなく、意匠性の向上及び安全性の向上が図れる。
【０００３】
【特許文献１】特開２００５−１２０７０９号公報
【発明の開示】
【発明が解決しようとする課題】
【０００４】
しかしながら、前記従来の雨戸装置では、雨戸全開時において、雨戸の下端部が支持されていないため、風等によって雨戸の下端部が面外方向にバタツキ易くとなるとともに、雨戸がその合掌部の下端部を支点として下方に回転するという転びも発生し易くなる。また、雨戸の重量が重くなると、雨戸を開閉するために必要な開閉力が重くなるという問題もある。
【０００５】
本発明は、このような事情に鑑みてなされたもので、雨戸のバタツキや転びを防止できるとともに開閉力を低減できる雨戸装置を提供することを目的とする。
【課題を解決するための手段】
【０００６】
前記目的を達成するために、本発明に係る請求項１に記載の雨戸装置は、建物の開口部に設けられた窓の室外側に配置される上枠、下枠及び左右の縦枠からなる枠と、前記上枠に上スライドレールを介してスライド開閉自在に設けられる雨戸とを備えた雨戸装置であって、
前記雨戸は、前記下枠にも下スライドレールを介してスライド開閉自在に支持されており、
前記雨戸が前記上下のスライドレールによって、全開時に両縦枠より外側に突出した状態に保持されることを特徴とする。
【０００７】
請求項２に記載の雨戸装置は、建物の開口部に設けられた窓の室外側に配置される上枠、下枠及び左右の縦枠からなる枠と、上枠と下枠間に引違いで左右両開きに開閉可能に設けられる４枚建ての内外の雨戸とを備え、上枠には内雨戸の上部をスライド可能に支持する内雨戸用の上スライドレールが設けられ、内雨戸の上部又は上枠には外雨戸の上部をスライド可能に支持する外雨戸用の上スライドレールが設けられた雨戸装置であって、
前記内雨戸は、前記下枠にも内雨戸用の下スライドレールを介してスライド開閉自在に支持されており、
前記外雨戸は、前記下枠または前記内雨戸の下部にも外雨戸用の下スライドレールを介してスライド開閉自在に支持されており、
前記内雨戸用の上下スライドレール及び外雨戸用の上下スライドレールを介して内雨戸と外雨戸が全開時に重なった状態で両縦枠より外側に突出した状態に保持されることを特徴とする。
【０００８】
請求項３に記載の雨戸装置は、請求項１または請求項２に記載の発明において、下スライドレールが、前記下枠または内雨戸の下部に取り付られた下固定レールと、該下固定レールに下中間レールを介してスライド自在に支持され、かつ外雨戸の下部に取り付けられた下可動レールとを有し、
前記下中間レールが、下中間レール本体と、この下中間レール本体の一方の側面に取り付けられて、前記下固定レールを転動可能な複数の第１戸車と、前記下中間レール本体の他方の側面に取り付けられて、前記下可動レールを相対的に転動可能な複数の第２戸車とを備えていることを特徴とする。
【発明の効果】
【０００９】
請求項１に記載の雨戸装置によれば、雨戸が上枠に上スライドレールを介してスライド開閉自在に支持されているとともに下枠にも下スライドレールを介してスライド開閉自在に支持されており、雨戸が上下のスライドレールによって、全開時に両縦枠より外側に突出した状態に保持されるので、雨戸全開時における雨戸のバタツキや転びを防止でき、また、雨戸の開閉力を低減できる。
【００１０】
請求項２に記載の雨戸装置によれば、内雨戸が上枠に内雨戸用の上スライドレールを介してスライド開閉自在に支持されているとともに下枠にも内雨戸用の下スライドレールを介してスライド開閉自在に支持されており、外雨戸が上枠に外雨戸用の上スライドレールを介してスライド開閉自在に支持されているとともに下枠にも外雨戸用の下スライドレールを介してスライド開閉自在に支持されており、内雨戸用の上下スライドレール及び外雨戸用の上下スライドレールを介して内雨戸と外雨戸が全開時に重なった状態で両縦枠より外側に突出した状態に保持されるので、４枚の雨戸全開時における雨戸のバタツキや転びを防止でき、また、雨戸の開閉力を低減できる。
【００１１】
請求項３に記載の雨戸装置によれば、下スライドレールが、下固定レールと、下中間レールと、下可動レールとを有しており、下中間レールが、下中間レール本体と、この下中間レール本体の一方の側面に取り付けられて、下固定レールを転動可能な複数の第１戸車と、下中間レール本体の他方の側面に取り付けられて、下可動レールを相対的に転動可能な複数の第２戸車とを備えているので、雨戸がスライド開閉する場合に、第１戸車と第２戸車がそれぞれ下固定レールと下可動レールとをそれぞれ転動する。したがって、重量の大きい雨戸をよりスムーズにかつ面外方向へのバタツキを抑えて、スライド開閉できる。
【発明を実施するための最良の形態】
【００１２】
以下、添付した図面を参照しながら、本発明の実施の形態を説明する。
（第１の実施の形態）
図１は本発明の実施の形態に係る雨戸装置を示す全閉時の室外側正面図、図２は同雨戸装置の全開時の室外側正面図、図３は図１の縦断面図、図４は図１の横断面図、図５は下スライドレールの横断面図、図６は雨戸の閉状態と開状態における下スライドレールを示す図である。
【００１３】
これらの図において、１は雨戸装置であり、図示例の雨戸装置はユニット化された鎧戸セットとして形成されている。この雨戸装置１は、建物の開口部に設けられた窓２の室外側に配置される上枠３ａ、下枠３ｂ及び左右の縦枠３ｃ，３ｃからなる枠３と、少なくとも前記上枠３ａに上スライドレール４を介して両開きにスライド開閉自在に設けられる雨戸（例えば鎧戸、戸体ともいう。）５，５とを備えている。
前記窓２は、上げ下げ窓であり、上枠６ａ、下枠６ｂ及び左右の縦枠６ｃ，６ｄからなる枠内に、室外側の上障子７と、室内側の下障子８とを、上障子７は枠に固定して、下障子８は上下動自在に取り付けてなるものである。上枠６ａにはバランサ８ａが取り付けられており、このバランサ８ａによって下障子８は任意の高さ位置に停止可能となっている。
雨戸装置１の枠３は窓２の枠の外側に配置され、躯体外壁に固定されている。また、雨戸装置１の枠３は窓２の枠より外側に突出している。
なお、本実施の形態では、窓２は上げ下げ窓であるが、これに限らず、引違い窓等であってもよい。
【００１４】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には端部キャップが取り付けられている。前記枠３の上枠３ａ及び下枠３ｂが建物の躯体の外壁に固着具例えばネジ１１で固定されている。
各雨戸（戸体）５は、上框１４ａ、下框１４ｂ及び左右の縦框である合掌框１４ｃ，１４ｄと戸先框１４ｅからなる框組内にパネル１５を組込んで構成されている。
【００１５】
前記上スライドレール４は、上枠３ａに設けられた上固定レール４ａと、該上固定レール４ａに上中間レール４ｂを介してスライド自在に支持された左右の上可動レール４ｃとを有し、該上可動レール４ｃが雨戸５の背面部、すなわち上框１４ａの背面部（室内面）に設けられている。上枠３ａは下向きの凹溝１６を有しており、この凹溝１６内の室外面に上固定レール４ａがネジ１７で取り付けられている。また、雨戸５の上框１４ａの室内面に前記上可動レール４ｃが取り付けられている。そして、上スライドレール４により前記雨戸５は全開時に両縦枠３ｃより外側に突出した状態に保持されるように構成されている。
【００１６】
前記上固定レール４ａは、上枠３ａの略全長に対応する長さの一本のレールからなっている。上中間レール４ｂと上可動レール４ｃは、それぞれ上固定レール４ａの略半分の長さとされている。上固定レール４ａと上可動レール４ｃは、共に室内外方向の寸法を抑えた扁平形の横断面略Ｃ字状に形成され、内側（内部）に上中間レール４ｂを挟み込む（覆い包む）ように相対向して配置されている。上中間レール４ｂには上固定レール４ａの上下の溝と、上可動レール４ｃの上下の溝にそれぞれ対向する４つの溝が形成されており、各対向する溝間にはボールベアリングとしてのボール（鋼球）２１が複数個ずつ設けられている。上固定レール側には、上固定レール側の上下のボール２１を上固定レール４ａの長手方向に所定の間隔で回転自在に保持する上固定レール側のボールリテーナー２２がレール長手方向に移動自在に設けられている。上可動レール側には、上可動レール側の上下のボール２１を上可動レール４ｂの長手方向に所定の間隔で回転自在に保持する上可動レール側のボールリテーナー２３がレール長手方向に移動自在に設けられている。
【００１７】
上可動レール４ｃの伸張時（雨戸の全開時）にその最大伸張位置を規定するために、上可動レール４ｃの後端部（収縮側）には、上可動レール側のボールリテーナー２３の後端部に当接して上可動レール４ｃの伸張方向への移動を停止させる第１ストッパー（図示略）が設けられ、上中間レール４ｂの先端部（伸張側）には上可動レール側のボールリテーナー２３の先端部に当接して当該ボールリテーナー２３の伸張方向への移動を停止させる第２ストッパー（図示略）が設けられている。また、上中間レール４ｂの後端（収縮側）には上固定レール側のボールリテーナー２２の後端部に当接して上中間レール４ｂの伸張方向への移動を停止させる第３ストッパー（図示略）が設けられ、上固定レール４ａの先端部（伸張側）には上固定レール側のボールリテーナー２２の先端部に当接して当該ボールリテーナー２２の伸張方向への移動を停止させる第４ストッパー（図示略）が設けられている。
【００１８】
なお、上可動レール４ｃの収縮時（雨戸の全閉時）には、左右の上可動レール４ｃ同士が当接して収縮方向への移動が停止されるようになっている。雨戸５の上部である上框１４ａには、上スライドレール４の上部、特に雨戸全開時に上枠３ａの外側方へ突出される上中間レール４ｂ及び上可動レール４ｃの上部を覆う覆い部（雨避け）２５が設けられ、上スライドレール４のボールベアリングに注入された潤滑材例えばグリースが雨で洗い流されるのを防止している。
【００１９】
雨戸装置１の下枠３ｂは上向きの凹溝２８を有しており、この凹溝２８には雨戸５の下端部が収容されており、この雨戸５の下端部が下スライドレール３０を介してスライド開閉自在に支持されている。
この下スライドレール３０は、図５および図６に示すように、下枠３ｂに取り付けられた下固定レール３０ａと、該下固定レール３０ａに下中間レール３０ｂを介してスライド自在に支持された下可動レール３０ｃとを有しており、下可動レール３０ｃが雨戸５の下端背面部に取り付けられている。前記下中間レール３０ｂは、下中間レール本体３０ｄと、この中間レール本体３０ｄの一方の側面に取り付けられて、下固定レール３０ａを転動可能な複数の第１戸車３０ｅと、中間レール本体３０ｄの他方の側面に取り付けられて、下可動レール３０ｃを相対的に転動可能な複数の第２戸車３０ｆとを備えている。そして、下スライドレール３０によっても雨戸５は全開時に両縦枠３ｃより外側に突出した状態に保持されるように構成されている。つまり、雨戸５はスライドレール４と下スライドレール３０によって、全開時に両縦枠３ｃより外側に突出した状態に保持されるように構成されている。
【００２０】
また、第１戸車３０ｅと第２戸車３０ｆとは、その軸を上下に若干ずらして配置されている。つまり、第１戸車３０ｅは第２戸車３０ｆより中間レール本体３０ｄに若干上方位置で連結されている。このように構成することによって、雨戸全開時において、雨戸５の戸先框１４ｅ側に下方に向かう荷重（重力）が作用した場合における雨戸５の傾き（転び）を抑制できる。
【００２１】
そして、雨戸閉状態では、下固定レール３０ａ、下中間レール３０ｂ、下可動レール３０ｃとが水平方向に重なっており、雨戸開状態では、下固定レール３０ａから下中間レール３０ｂが突出し、この下中間レール３０ｂから下可動レール３０ｃが突出するようになっている。
この雨戸開状態において、雨戸５が前記上下のスライドレール４，３０によって、両縦枠３ｃ，３ｃより外側に突出した状態に保持される。
【００２２】
このような雨戸装置１では、雨戸５が上枠３ａに上スライドレール４を介してスライド開閉自在に支持されているとともに下枠３ｂにも下スライドレール３０を介してスライド開閉自在に支持されており、雨戸５が上下のスライドレール４，３０によって、全開時に両縦枠３ｃ，３ｃより外側に突出した状態に保持されるので、雨戸全開時における雨戸５のバタツキや転びを防止でき、また、雨戸５の開閉力を低減できる。
【００２３】
また、下スライドレール３０が、下固定レール３０ａと、下中間レール３０ｂと、下可動レール３０ｃとを有しており、下中間レール３０ｂが、下中間レール本体３０ｄと、この下中間レール本３０ｄの一方の側面に取り付けられて、下固定レール３０ａを転動可能な２つの第１戸車３０ｅ，３０ｅと、下中間レール本体３０ｄの他方の側面に取り付けられて、下可動レール３０ｃを相対的に転動可能な２つの第２戸車３０ｆ，３０ｆとを備えているので、雨戸５がスライド開閉する場合に、第１戸車３０ｅ，３０ｅと第２戸車３０ｆ，３０ｆがそれぞれ下固定レール３０ａと下可動レール３０ｃとをそれぞれ転動する。したがって、雨戸５の重量が大きくなってもこの雨戸をよりスムーズにかつ面外方向へのバタツキを抑えて、スライド開閉できる。
【００２４】
また、図４に示すように、両開きにスライド開閉する雨戸５，５のうち、一方の雨戸５の合掌框（合掌部）１４ｃには上下（図４では紙面と直交する方向）にスライド可能なロッド３８を備えた落とし錠３５が設けられている。また、他方の雨戸５の合掌框（合掌部）１４ｄの下端部には、落とし錠３５側に延出するガイド部材３６が設けられており、このガイド部材３６には挿通孔３６ａが形成されている。一方、雨戸装置１の下枠３ｂには、落とし錠受け３７が設けられている。
【００２５】
このような落とし錠３５を備えた雨戸装置１では、両開きにスライド開閉自在に設けられる両雨戸５，５の合掌框１４ｃ，１４ｄを互いに当接して雨戸５，５を閉じると、他方の雨戸５の合掌部１４ｄに設けられたガイド部材３６が一方の雨戸５の合掌框１４ｃに設けられた落とし錠３５側に位置して、落とし錠３５のロッド３８の直下にガイド部材３６の挿通孔３６ａが位置する。また、この挿通孔３６ａの直下に、落とし錠受け３７が位置する。
この状態で、落とし錠３５のロッド３８を指で押し下げて下降操作すると、該ロッド３８がガイド部材３６の挿通孔３６ａを挿通したうえで、落とし錠受け３７に挿入されて、落とし錠受け３７に固定される。これによって雨戸５，５が閉じた状態で施錠される。
また、解錠する場合は、落とし錠３５のロッド３８を指で引き上げて上昇操作して、該ロッド３８を落とし錠受け３７とガイド部材３６の挿通孔３６ａから抜き取ればよい。
このように、両開きの雨戸５，５においても、一つの落とし錠３５で施錠・解錠を行えるので、コストを抑えるとともに、施錠・解錠操作が簡単になる。
【００２６】
また、図３に示すように、雨戸５の上框１４ａには、上キャッチャー（上係合部）４０が設けられており、上枠３ａには、この上キャッチャー４０に係脱可能に係合する上キャッチャー受け（上被係合部）４１が設けられている。
さらに、雨戸５の下框１４ｂには、下キャッチャー（下係合部）４５が設けられており、下枠３ｂには、この下キャッチャー４５に係脱可能に係合する下キャッチャー受け（下被係合部）４６が設けられている。
【００２７】
そして、上記のような上下のキャッチャー４０，４５と、上下のキャッチャー受け４１，４６とを備えた雨戸装置１では、雨戸５，５の全開時に、下キャッチャー４５が下キャッチャー受け４６に係合するので、雨戸５，５を開状態の位置でロックできる。また、下キャッチャー４５が下キャッチャー受け４６に係合することによって、雨戸５，５の下端部が保持されるので、雨戸５，５の転びを防止できる。
また、雨戸５，５を閉方向にスライドさせると、下キャッチャー４５の頭部４０ｄが下キャッチャー受け４６のローラ４１ｅ，４１ｅを外側に押し開きながら該ローラ４１ｅ，４１ｅから外れる。
このように、下キャッチャー４５が下キャッチャー受け４６から外れるので、雨戸の開ロック状態を容易に解除できる。
【００２８】
また、雨戸５，５の全閉時に、上キャッチャー４０が上キャッチャー受け４１に係合するので、雨戸５，５を閉状態の位置で別々にロックできる。したがって、一方の雨戸５だけを閉状態の位置にロックできる。
また、雨戸５，５を開方向にスライドさせると、上キャッチャー４０の頭部４０ｄが上キャッチャー受け４１のローラ４１ｅ，４１ｅを外側に押し開きながら該ローラ４１ｅ，４１ｅから外れる。
このように、上キャッチャー４０が上キャッチャー受け４１から外れるので、雨戸５，５の閉ロック状態を容易に解除できる。
【００２９】
（第２の実施の形態）
図７および図８は本発明の第２実施の形態を示すものである。本実施の形態では、本発明の雨戸装置を両開きにスライド開閉自在に設けられる４枚建ての雨戸について適用したものである。なお、第１実施の形態の雨戸装置１と共通部分には同一符号を付してその説明を省略ないし簡略化する。
図７および図８に示すように、本実施の形態の雨戸装置５１は、建物の開口部に設けられた窓５２の室外側に配置される上枠５３ａ、下枠５３ｂ及び左右の縦枠５３ｃ，５３ｃからなる枠５３と、上枠５３ａと下枠５３ｂ間に引違いで左右両開きに開閉可能に設けられる４枚建ての内外の雨戸５４，５４，５５，５５とを備えている。前記窓５２は引違い窓サッシであり、上枠５２ａ、下枠５２ｂ及び左右の縦枠５２ｃ，５２ｃからなる枠内に引違いにスライド開閉自在に設けられた内外の障子５７，５８とを備えている。
【００３０】
雨戸装置５１の枠５３は、上枠５３ａと下枠５３ｂの両端部相互間に縦枠５３ｃ，５３ｃを挟み込んでネジ止めにより組み立ててなり、上枠５３ａ及び下枠５３ｂの両端部が露出する横通し組立構造が採用されている。上枠５３ａ及び下枠５３ｂの両端部には端部キャップが取り付けられている。前記枠５３の上枠５３ａ及び下枠５３ｂが建物の躯体の外壁に固着具例えばネジ１１で固定されている。なお、上枠５３ａと下枠５３ｂは、前記雨戸装置１の上枠３ａと下枠３ｂより外側に突出している。
【００３１】
また、雨戸装置５１は、閉鎖時に中央で突合される左右一対の外雨戸５５，５５と、両側の一対の内雨戸５４，５４とからなる、内−外−外−内の配置構成になっている。内外の雨戸５４，５５は、前記雨戸５と同様に、上框１４ａ、下框１４ｂ及び左右の縦框である合掌框１４ｃ，１４ｄと戸先框１４ｅからなる框組内にパネル１５を組込んで構成されている。
【００３２】
前記上枠５３ａには、内雨戸５４の上部をスライド可能に支持する内雨戸用の上スライドレール５６ａと、外雨戸５５の上部をスライド可能に支持する外雨戸用の上スライドレール５６ｂとが設けられており、これら内雨戸用の上スライドレール５６ａ及び外雨戸用の上スライドレール５６ｂを介して内雨戸５４と外雨戸５５が全開時に重なった状態で両縦枠５３ｃより外側（外側方）に突出した状態に保持されるようになっている。
前記上スライドレール５６ａ，５６ｂは、前記雨戸装置１の上スライドレール４と同様の構造であるので、これらの説明は省略する。
なお、外雨戸用の上スライドレール５６ｂは内雨戸５４の上部に設けてもよい。
【００３３】
また、前記下枠５３ｂには、内雨戸５４の下部をスライド可能に支持する内雨戸用の下スライドレール６０が設けられ、内雨戸５４の下部には外雨戸５５の下部をスライド可能に支持する外雨戸用の下スライドレール６１が設けられられている。
前記下スライドレール６０，６１は、前記雨戸装置１の下スライドレール３０と同様の構造であるので、これらの説明は省略する。
【００３４】
このような雨戸装置５１では、内雨戸５４が上枠５３ａに内雨戸用の上スライドレール５６ａを介してスライド開閉自在に支持されているとともに下枠５３ｂにも内雨戸用の下スライドレール６０を介してスライド開閉自在に支持されており、外雨戸５５が上枠５３ａに外雨戸用の上スライドレール５６ｂを介してスライド開閉自在に支持されているとともに下枠５３ｂにも外雨戸用の下スライドレール６０を介してスライド開閉自在に支持されており、内雨戸用の上下スライドレール５６ａ，６０及び外雨戸用の上下スライドレール５６ｂ，６０を介して内雨戸５４と外雨戸５５が全開時に重なった状態で両縦枠５３ｃ，５３ｃより外側に突出した状態に保持されるので、４枚の雨戸全開時における雨戸５４，５５のバタツキや転びを防止でき、また、雨戸５４，５５の開閉力を低減できる。
【００３５】
また、本雨戸装置５１では、図７に示すように、両開きにスライド開閉する外雨戸５５，５５のうち、一方の雨戸５５の合掌框（合掌部）１４ｃに、前記雨戸装置１の落とし錠３５と同じ構造の落とし錠３５が設けられている。また、他方の外雨戸５５の合掌框（合掌部）１４ｄの下端部には、落とし錠３５側に延出する、前記雨戸装置１のガイド部材３６と同じ構造のガイド部材３６が設けられている。一方、雨戸装置５１の下枠５３ｂには、落とし錠受け３７が設けられている。なお、落とし錠３５、ガイド部材３６、落とし錠受け３７は、雨戸装置１の説明の際に既に説明したので省略する。
【００３６】
また、内雨戸５４の戸先框１４ｅ，１４ｅには、煙り返し５４ａ，５４ａが形成されており、この煙り返し５４ａ，５４ａは、雨戸全閉時に、縦枠５３ｃ，５３ｃに形成された受け部５４ｂ，５４ｂに係合するようになっており、これによって、それ以上の内側へのスライド移動が規制されるようになっている。
また、外雨戸５５，５５の戸先框１４ｅ，１４ｅには、煙り返し５５ａ，５５ａが形成されており、この煙り返し５５ａ，５５ａは、雨戸全閉時に、内雨戸５４の合掌框１４ｃ，１４ｄに形成された煙り返し５５ｂ，５５ｂに係合するようになっており、これによって、それ以上の内側へのスライド移動が規制されるようになっている。
【００３７】
したがって、前記落とし錠３５によって、外雨戸５５，５５を全閉状態で施錠すると、外雨戸５５，５５がロックされるとともに、煙り返し５４ａ，５４ａが受け部５４ｂ，５４ｂに係合するとともに、煙り返し５５ａ，５５ａが煙り返し５５ｂ，５５ｂに係合することによって、内雨戸５４，５４もロックされる。したがって、４枚建ての雨戸５４，５４，５５，５５においても、一つの落とし錠３５で施錠・解錠を行えるので、コストを抑えるとともに、施錠・解錠操作が簡単になる。
【００３８】
また、雨戸装置５１では、図７に示すように、外雨戸５５の上框１４ａには、上キャッチャー（上係合部）４０が設けられており、上枠３ａには、この上キャッチャー４０に係脱可能に係合する上キャッチャー受け（上被係合部）４１が設けられている。
さらに、外雨戸５５の下框１４ｂには、下キャッチャー（下係合部）４５が設けられており、下枠３ｂには、この下キャッチャー４５に係脱可能に係合する下キャッチャー受け（下被係合部）４６が設けられている。
【００３９】
そして、雨戸５４，５４，５５，５５の全開時に、下キャッチャー４５が下キャッチャー受け４６に係合するので、雨戸５４，５４，５５，５５を開状態の位置でロックできる。また、下キャッチャー４５が下キャッチャー受け４６に係合することによって、外雨戸５５，５５の下端部が保持されるとともに、外雨戸５５，５５にうち雨戸５４，５４は下スライドレール３０を介して連結されているので、雨戸５４，５４，５５，５５の転びを防止できる。
また、雨戸５４，５４，５５，５５を閉方向にスライドさせると、下キャッチャー４５が下キャッチャー受け４６から外れるので、雨戸の開ロック状態を容易に解除できる。
【００４０】
また、雨戸５４，５４，５５，５５を閉方向に向けて閉じるようにスライドさせていくと、雨戸５４，５４，５５，５５の全閉時に、上キャッチャー４０が上キャッチャー受け４１に係合するので、雨戸５４，５４，５５，５５を閉状態の位置で別々にロックできる。したがって、一方の雨戸５４，５５だけを閉状態の位置にロックできる。
また、雨戸５４，５４，５５，５５を開方向にスライドさせると、上キャッチャー４０が上キャッチャー受け４１から外れるので、雨戸５４，５４，５５，５５の閉ロック状態を容易に解除できる。
【００４１】
（第３の実施の形態）
図９は本発明の第３実施の形態を示すものである。本実施の形態では、本発明の雨戸装置を形引きにスライド開閉自在に設けられる雨戸７５について適用したものである。なお、第１実施の形態の雨戸装置１と共通部分には同一符号を付してその説明を省略ないし簡略化する。
【００４２】
図９は本実施の形態の雨戸装置７１の平断面図である。また、この雨戸装置７１の縦断面は、前記図３に示す雨戸装置１の縦断面と同様であるので、縦断面については図３を用いて説明する。
図９および図３に示すように、本実施の形態の雨戸装置７１は、建物の開口部に設けられた窓２の室外側に配置される上枠３ａ、下枠３ｂ及び左右の縦枠３ｃ，３ｃからなる枠３と上枠３ａに上スライドレール４を介して片引きにスライド開閉自在に設けられる雨戸（例えば鎧戸、戸体ともいう。）７５とを備えている。
雨戸７５は、上框１４ａ、下框１４ｂ及び左右の縦框１４ｃ，１４ｃからなる框組内にパネル１５を組込んで構成されている。
【００４３】
前記上スライドレール４は、上枠３ａに設けられた上固定レール４ａと、該上固定レール４ａに上中間レール４ｂを介してスライド自在に支持された左右の上可動レール４ｃとを有し、該上可動レール４ｃが雨戸７５の背面部、すなわち上框１４ａの背面部（室内面）に設けられている。そして、上スライドレール４により前記雨戸７５は全開時に一方（図９において左方）の縦枠３ｃより外側に突出した状態に保持されるように構成されている。
【００４４】
また、雨戸７５の下端部が下スライドレール３０を介してスライド開閉自在に支持されている。
そして、雨戸開状態において、雨戸７５が前記上下のスライドレール４，３０によって、一方の縦枠３ｃより外側に突出した状態に保持される。
【００４５】
このような雨戸装置７５でも、前記雨戸装置１と同様に、雨戸全開時における雨戸５のバタツキや転びを防止でき、また、雨戸５の開閉力を低減できる。
また、雨戸７５の重量が大きくなってもこの雨戸をよりスムーズにかつ面外方向へのバタツキを抑えて、スライド開閉できる。
【００４６】
さらに、この雨戸装置７１では、雨戸７５の下端部だけに下キャッチャーを設け、下枠３ｂに下キャッチャー受けを設けて、雨戸７５の全開時に雨戸の下端部を保持して、雨戸の転びを防止すればよい。
雨戸７５の全閉時には、前記落とし錠３５によって雨戸７５をロックできるので上キャッチャー、上キャッチャー受けは設けなくてもよい。
【００４７】
なお、第１〜第３実施の形態において、雨戸５，５４，５５，７５の下部を支持するのに下スライドレール３０を使用したが、下スライドレールの構造はこれに限ることはない。例えば、前記上スライドレール４と同様の構造のものでもよい。
【図面の簡単な説明】
【００４８】
【図１】本発明の第１の実施の形態に係る雨戸装置を示すもので、全閉時の室外側正面図である。
【図２】同、全開時の室外側正面図である。
【図３】同、雨戸装置の縦断面図である。
【図４】同、雨戸装置の平断面図である。
【図５】同、下スライドレールの横断面図である。
【図６】同、雨戸の閉状態と開状態における下スライドレールを示すもので、（ａ）は側面図、（ｂ）は平面図である。
【図７】本発明の第２の実施の形態に係る雨戸装置を示すもので、雨戸装置の縦断面図である。
【図８】同、雨戸装置の平断面図である。
【図９】本発明の第３の実施の形態に係る雨戸装置を示すもので、雨戸装置の平断面図である。
【符号の説明】
【００４９】
１，５１，７１  雨戸装置
２，５２  窓
３ａ，５３ａ  上枠
３ｂ，５３ｂ  下枠
３，５３  枠
４，５６ａ，５６ｂ  上スライドレール
５，５４，５５  雨戸
１４ｃ，１４ｄ  合掌框（合掌部）
３０，６０，６１  下スライドレール
３０ａ  下固定レール
３０ｂ  下中間レール
３０ｃ  下可動レール
３０ｅ  第１戸車
３０ｆ  第２戸車
【図１】
2007120150.tif 000003
【図２】
2007120150.tif 000004
【図３】
2007120150.tif 000005
【図４】
2007120150.tif 000006
【図５】
2007120150.tif 000007
【図６】
2007120150.tif 000008
【図７】
2007120150.tif 000009
【図８】
2007120150.tif 000010
【図９】
2007120150.tif 000011